(57)【要約】【課題】光利用効率を向上することができる照明装置を提供する。【解決手段】導光板２３は、平板状であり、相互に略平行な平面に形成される第１および第２表面２７，２８を有する。光源２２からの照明光は、光源２２に臨む第１側面２９を介して導光板２３に入射される。導光板２３の第１表面２７に、導光板２３の屈折率に比べて大きい屈折率を有する材料から成る出射体２６が直接設けられる。出射体２６は、第１表面２７から遠ざかるにしたがって第１表面２７と平行な断面積が小さくなるように、第１表面２７に垂直な面から傾斜する平面状の第１および第２出射面３５ａ，３５ｂを有する。導光板２３から出射体２６に入射された照明光は、第１および第２出射面３５ａ，３５ｂから第１表面２７に対して略垂直な方向へ出射される。これによって対象物に導かれる光量を可及的に大きくして、光利用効率を向上することができる。【選択図】      図１
2004158259.tif 000002
【特許請求の範囲】
【請求項１】
照明光を発する光源と、
一側面が光源に臨んで設けられる平板状であり、照明光が一側面を介して入射され、厚み方向両側の表面が相互に略平行な平面に形成される第１導光体と、
第１導光体の屈折率に比べて大きい屈折率を有する材料から成り、第１導光体の厚み方向一方側の一表面に直接設けられて第１導光体から照明光が入射される第２導光体であって、前記一表面から遠ざかるにしたがって前記一表面と平行な断面積が小さくなるように前記一表面に垂直な面から傾斜し、第１導光体から入射される照明光を、第１導光体の前記一表面に対して略垂直な方向へ出射する平面状の出射面が形成される第２導光体とを含むことを特徴とする照明装置。
【請求項２】
前記第２導光体は、前記一表面および前記出射面に垂直な断面が台形状であることを特徴とする請求項１記載の照明装置。
【請求項３】
第２導光体は、第１導光体と略平行に設けられる平板状の基部と、基部から第１導光体と反対側に突出する複数の出射部とを有し、各出射部に出射面が形成されることを特徴とする請求項１または２記載の照明装置。
【請求項４】
第１導光体の屈折率に比べて小さい屈折率を有し、第１導光体と第２導光体との間に設けられ、厚み方向両側の表面が平行である第３導光体をさらに含むことを特徴とする請求項１〜３のいずれかに記載の照明装置。
【請求項５】
第１導光体の一表面と第２導光体の出射面とが成す角度αは、空気の屈折率をｎ１、第１導光体の屈折率をｎ２、第２導光体の屈折率をｎ３としたとき、
α＝ｓｉｎ−１｛（ｎ３／ｎ１）×ｓｉｎ｛α−ｓｉｎ−１｛（ｎ２／ｎ３）×ｃｏｓ｛ｓｉｎ−１（ｎ１／ｎ２）｝｝｝｝
を満たすαを最小値αｍｉｎとして、αｍｉｎ＜α＜９０°を満足することを特徴とする請求項１〜４のいずれかに記載の照明装置。
【発明の詳細な説明】
【０００１】
【発明の属する技術分野】
本発明は、対象物を照明するための照明装置であって、たとえば液晶表示装置が備える液晶パネルを照明するための照明装置に関する。
【０００２】
【従来の技術】
液晶表示装置は、照明装置として導光板を有するバックライト装置を備える。液晶表示装置の液晶パネルは、情報の表示容量の拡大と輝度などの特性向上によって、ワードプロセッサおよびコンピュータに頻繁に用いられている。また液晶パネルの薄形および軽量の特徴を生かして、液晶パネルは、デジタルカメラおよび携帯電話に用いられている。デジタルカメラおよび携帯電話は、屋外で使用されることが多く、高輝度かつ高効率の照明装置が望まれている。
【０００３】
図１２は、従来の技術の照明装置１を簡略化して示す断面図である。照明装置１は、光源２、第１反射板３、導光板４、プリズム板５および第２反射板６を含んで構成される。光源２は、導光板４の一側面４ａに対向して設けられ、第１反射板３を用いて一側面４ａに導かれて導光板４に入射される。導光板４に入射される照明光は、導光板４の厚み方向一方側の下面４ｄに設けられるドットパターン８によって乱反射される。このドットパターン８によって、導光板４に入射された照明光が乱反射されて、導光板４の厚み方向他方側の上面４ｃから出射される。導光板４の上面４ｃから出射される照明光は、導光板４と液晶パネル７との間に空気層をそれぞれ介在して設けられるプリズム板５によって、導光板４の上面４ｃに対して略垂直な方向に出射される。プリズム板５によって出射された照明光は、液晶パネル７に導かれる（特許文献１参照）。
【０００４】
図１３は、他の従来の技術の照明装置１０を簡略化して示す断面図である。図１４は、導光板４および高屈折率部分１１における光の屈折および反射を説明するための図である。他の従来の技術の照明装置１０において、前述の照明装置１と同様の構成には同一の参照符号を付し、説明を省略する。照明装置１０は、ドットパターン８の代わりに、高屈折率部分１１が設けられる構成（特許文献２参照）に加えて、プリズム板５を含んで構成される。高屈折率部分１１は、導光板４の上面４ｃに設けられる曲表面の突起である。導光板４に入射された照明光は、高屈折率部分１１と空気層とを介してプリズム板５に入射される。照明装置１０においても、高屈折率部分１１から出射される照明光を導光板４の上面４ｃに対して略垂直な方向に出射するために、前述の照明装置１と同様にプリズム板５が用いられる。
【０００５】
【特許文献１】
特開平５−２４１１４７号公報
【特許文献２】
特開平６−２３５９１７号公報
【０００６】
【発明が解決しようとする課題】
前述の各照明装置１，１０では、照明光を導光板４の上面４ｃに対して略垂直に出射するために、プリズム板５が設けられる。導光板４とプリズム板５とは空気層を介在して設けられるので、導光板４および高屈折率部分１１から出射された照明光の一部が、空気層とプリズム板５との境界で反射されてしまい、光利用効率が低下する。
【０００７】
本発明の目的は、光利用効率を向上することができる照明装置を提供することである。
【０００８】
【課題を解決するための手段】
本発明は、照明光を発する光源と、
一側面が光源に臨んで設けられる平板状であり、照明光が一側面を介して入射され、厚み方向両側の表面が相互に略平行な平面に形成される第１導光体と、
第１導光体の屈折率に比べて大きい屈折率を有する材料から成り、第１導光体の厚み方向一方側の一表面に直接設けられて第１導光体から照明光が入射される第２導光体であって、前記一表面から遠ざかるにしたがって前記一表面と平行な断面積が小さくなるように前記一表面に垂直な面から傾斜し、第１導光体から入射される照明光を、第１導光体の前記一表面に対して略垂直な方向へ出射する平面状の出射面が形成される第２導光体とを含むことを特徴とする照明装置である。
【０００９】
本発明に従えば、平板状の第１導光体は、厚み方向両側の表面が相互に平面に形成される。第１導光体の一側面は、光源に臨んで設けられる。光源によって照明光が発せられると、照明光は第１導光体の一側面を介して第１導光体に入射される。第１導光体の厚み方向一方側の一表面には、第１導光体の屈折率に比べて大きい屈折率を有する材料から成る第２導光体が直接設けられる。この第２導光体には、照明光が第１導光体から入射される。第２導光体には、前記一表面から遠ざかるにしたがって前記一表面と平行な断面積が小さくなるように前記一表面に垂直な面から傾斜する平面状の出射面が形成され、この出射面に第１導光体から入射される照明光が、第１導光体の一表面に対して略垂直な方向へ出射される。
【００１０】
このように構成される照明装置を用いて、第１導光体と対象物との間にプリズム板などの部材を設けることなく、第１導光体の一表面に対向する対象物に、照明光を効率よく導くことができる。これによって第１導光体に入射される照明光の光量の損失を阻止して、対象物に導かれる照明光の光量を可及的に大きくすることができる。したがって光源によって発せられる照明光を効率よく利用すること、すなわち光利用効率を向上することができる。
【００１１】
また本発明は、前記第２導光体は、前記一表面および前記出射面に垂直な断面が台形状であることを特徴とする。
【００１２】
本発明に従えば、第２導光体は、前記一表面および前記出射面に垂直な断面が台形状である。第２導光体が前記一表面および前記出射面に垂直な断面が台形状になるように構成されるので、第２導光体は、第１導光体の一表面に垂直な面から傾斜する２つの出射面と、一表面に平行な表面とを有する。これによってたとえば一方の出射面で全反射されて、一方の出射面から出射されずに第２導光体内に残った照明光を、一表面に平行な表面と、他方の出射面とで、全反射させて第２導光体から第１導光体に導くことができる。これによって第２導光体から第１導光体に導かれた照明光を、第１導光体から第２導光体に再び入射させて再利用することができる。
【００１３】
また本発明は、第２導光体は、第１導光体と略平行に設けられる平板状の基部と、基部から第１導光体と反対側に突出する複数の出射部とを有し、各出射部に出射面が形成されることを特徴とする。
【００１４】
本発明に従えば、第２導光体は、第１導光体と略平行に設けられる平板状の基部と、基部から第１導光体と反対側に突出する複数の出射部とを有し、各出射部に出射面が形成される。このように第２導光体を構成することによって、基部と出射部とを、たとえば成型加工によって一体に形成することができる。これによって照明光を第１導光体の一表面に対して略垂直な方向に、出射面から出射することができる構成で、第２導光体を容易に製造することができるとともに、第２導光体を製造するために要するコストを削減することができる。
【００１５】
さらに第２導光体の出射部だけを個別に第１導光体の一表面に設ける場合に比べて、高い位置決め精度を必要とせずに、第２導光体を第１導光体の一表面に容易にかつ短時間で設けることができる。第２導光体の基部が第１導光体と略平行に設けられるので、照明光を基部で全反射させて、照明光が基部から空気中に出射されることを防止して、出射部の出射面から確実に出射させることができる。
【００１６】
また本発明は、第１導光体の屈折率に比べて小さい屈折率を有し、第１導光体と第２導光体との間に設けられ、厚み方向両側の表面が平行である第３導光体をさらに含むことを特徴とする。
【００１７】
本発明に従えば、第３導光体が、第１導光体と第２導光体との間に設けられる。第３導光体は、第１導光体の屈折率に比べて小さい屈折率を有し、厚み方向両側の表面が平行である。この第３導光体によって、第１導光体に入射した照明光のうち、第１導光体と第３導光体との境界に全反射角以上の入射角で到達する照明光は、全反射されて第３導光体に入射されることが防がれる。
【００１８】
このように第３導光体によって、第１導光体と第３導光体との境界に全反射角以上の入射角で到達する照明光が第２導光体に入射されることが防がれるので、第２導光体に入射される照明光のうち、第１導光体の一表面に垂直な成分が小さい照明光を取り除くことができる。これによって第１導光体の一表面に対して垂直な方向の成分が可及的に大きい照明光を出射面から出射することできる。
【００１９】
また本発明は、第１導光体の一表面と第２導光体の出射面とが成す角度αは、空気の屈折率をｎ１、第１導光体の屈折率をｎ２、第２導光体の屈折率をｎ３としたとき、
α＝ｓｉｎ−１｛（ｎ３／ｎ１）×ｓｉｎ｛α−ｓｉｎ−１｛（ｎ２／ｎ３）×ｃｏｓ｛ｓｉｎ−１（ｎ１／ｎ２）｝｝｝｝
を満たすαを最小値αｍｉｎとして、αｍｉｎ＜α＜９０°を満足することを特徴とする。
【００２０】
本発明に従えば、第１導光体の一表面と第２導光体の出射面とが成す角度αは、空気の屈折率をｎ１、第１導光体の屈折率をｎ２、第２導光体の屈折率をｎ３としたとき、
α＝ｓｉｎ−１｛（ｎ３／ｎ１）×ｓｉｎ｛α−ｓｉｎ−１｛（ｎ２／ｎ３）×ｃｏｓ｛ｓｉｎ−１（ｎ１／ｎ２）｝｝｝｝
を満たすαを最小値αｍｉｎとして、αｍｉｎ＜α＜９０°を満足する。たとえば第１導光体および第２導光体の材料が変わることによって、照明装置の構成が変わった場合であっても、第１導光体の一表面と第２導光体の出射面とが成す角度を、空気、第１導光体および第２導光体の各屈折率に基づいて最適な角度に決定することができる。これによって光利用効率が大きい照明装置を実現することができる。
【００２１】
【発明の実施の形態】
図１は、本発明の第１の実施の形態である照明装置２０の一部を切欠いて示す断面図である。図２は、導光板２３の一部を示す斜視図である。照明装置２０は、対象物を照明光によって照明するための装置であって、たとえば液晶表示装置（図示せず）に備えられるエッジライト式のバックライト装置として用いられる。照明装置２０は、液晶表示装置の液晶パネル２１に対向して設けられ、液晶表示装置の操作者が表示画面を見る側とは反対側から、対象物である液晶パネル２１を照明する。照明装置２０は、光源２２、導光板２３、第１反射板２４、第２反射板２５、出射体２６を含んで構成される。
【００２２】
光源２２は、電源（図示せず）によって与えられる電力に基づいて照明光を発し、たとえば冷陰極（Ｃｏｌｄ  Ｃａｔｈｏｄｅ  Ｆｌｕｏｒｅｓｃｅｎｔ  Ｌａｍｐ；略称ＣＣＦＬ）などの蛍光管によって実現される。図１の例では光源２２は、大略的に円柱状の蛍光管であって、数ミリ程度の直径に比べて軸線方向の寸法が大きい蛍光管である。
【００２３】
第１導光体である導光板２３は、透光性を有し、たとえばポリメチルメタクリレートなどの樹脂から成る。導光板２３の材料としてポリメチルメタクリレートを用いた場合、導光板２３の屈折率ｎ２は１．４９である。導光板２３は、平板状であって、厚み方向に平行な第１方向Ａと垂直な両側の表面、具体的には第１方向Ａ一方側の表面である第１表面２７と第１方向Ａ他方側の表面である第２表面２８とが相互に略平行な平面に形成される。
【００２４】
導光板２３の一側面、たとえば長手方向に平行な第３方向Ｃの一方側の第１側面２９と、第１側面２９と反対側の第２側面３１とは、それぞれ第１表面２７と第２表面２８とに垂直である。導光板２３は、第１表面２７が液晶パネル２１に臨む状態で、第１方向Ａに液晶パネル２１と間隔をあけて平行に配置される。導光板２３の第１側面２９が光源２２に臨む状態で、光源２２は、導光板２３の幅方向に平行な第２方向Ｂに沿って設けられる。図１の例では第２方向Ｂは、紙面に垂直な方向である。光源２２によって発せられる照明光は、第１側面２９を介して導光板２３に入射される。
【００２５】
第１反射板２４および第２反射板２５は、照明光を反射するための部材であって、ほぼ１．０に近い反射率を有する。第１反射板２４は、第２方向Ｂに垂直な断面形状が放物線状に湾曲する半筒状の部材である。図１の例では第１反射板２４は、第２方向Ｂに沿う両縁辺部が第１側面２９に当接されて設けられる。第１反射板２４は、導光体２３の第１側面２９と協働して、光源によって発せられた照明光が外部に漏れないように、第２方向Ｂまわりに光源２２を外囲する。光源２２によって発せられた照明光のうち、導光板２３の第１側面２９に直接到達した照明光を除く残余の照明光は、第１反射板２４によって、第１側部２９に効率良く導かれる。
【００２６】
第２反射板２５は、帯状かつ平板状の部材である。第２反射板２５は、導光板２３の第２側面３１に設けられる。本実施の形態では第２反射板２５は、第２側面３１の面積と同じかそれよりも大きくなるように形成され、導光板２３の第２側面３１に当接されて設けられる。第２反射板２５は、第２側面３１から出射しようとする照明光を反射する。これによって光量の損失を防止したうえで、照明光が第２側面３１から出射して照明装置２０の外部に漏れることを防止する。
【００２７】
第２導光体である出射体２６は、導光板２３の屈折率に比べて大きい屈折率を有する材料、たとえばポリビニルカルバゾールなどの樹脂から成る。出射体２６の材料としてポリビニルカルバゾールを用いた場合では、出射体２６の屈折率ｎ３は１．６８である。出射体２６には、平面状の２つの出射面３５、すなわち第１出射面３５ａおよび第２出射面３５ｂが形成される。第１出射面３５ａおよび第２出射面３５ｂは、導光板２３の第１表面２７に垂直な面から傾斜する平面であり、第１表面２７から遠ざかるにしたがって出射体２６の第１表面２７と平行な断面積が小さくなるように形成される。本実施の形態では出射体２６は、第２方向Ｂに垂直な面に配置された三角形状を第２方向Ｂに沿って延ばした三角柱であり、第１出射面３５ａおよび第２出射面３５ｂは、各寸法が相互に同一に形成される。
【００２８】
出射体２６は、導光板２３の第１表面２７に直接設けられる。具体的には出射体２６は、第１出射面３５ａおよび第２出射面３５ｂを除く残余の一側面３６が、第１表面２７に平行に配置される状態で、第１表面２７に当接されて設けられる。第１出射面３５ａと前記残余の一側面３６とが成す角度、換言すると出射体角度αは、少なくとも空気、導光板２３および出射体２６の各屈折率に基づいて決定される。第２出射面３５ｂと前記残余の一側面３６とが成す角度は、第１出射面３５ａと前記残余の一側面３６とが成す角度と同一である。
【００２９】
出射体２６は、導光板２３の第１表面２７に複数設けられる。各出射体２６は、第３方向Ｃに相互に間隔をあけて設けられる。第３方向Ｃに関して隣り合う２つの出射体２６は、予め定めるピッチＬだけ相互に間隔をあけて配置される。ピッチＬは、表示画面における輝度分布が一様になるように変更される。たとえば輝度が低ければピッチを狭め、輝度が高ければピッチを広げる。本実施の形態では、ピッチＬは、第３方向Ｃの光源２２側から第２反射板２５側に向かって小さくなるようにしている。出射体２６には、導光板２３から照明光が入射される。出射体２６に入射される照明光は、導光板２３の第１表面２７に対して略垂直な方向へ、第１および第２出射面３５ａ，３５ｂから出射される。ここで略垂直とは垂直を含む。
【００３０】
図３は、出射体２６の出射面３５ａから出射される照明光を説明するための図である。図４は、照明光の入射角および屈折角ならびに出射体角度αを説明するための図である。図３および図４において、第２方向Ｂ一方側から見た導光板２３および出射体２６を示しており、理解を容易にするために、照明光は、光源２２によって、第２方向Ｂに垂直な方向に出射されるものとする。また、屈折率が相互に異なる２つの媒質に関して、一方の媒質から他の媒質に到達した照明光は、境界で反射および屈折または全反射されるけれども、屈折および全反射される照明光に関してだけ説明し、反射される照明光に関する説明は省略する。本実施の形態において、照明光の入射角および屈折角は、屈折率が相互に異なる２つの媒質によって形成される境界面の法線に対する角度である。
【００３１】
本実施例では、導光板２３の屈折率ｎ２は１．４９であって、空気の屈折率ｎ１、すなわち１．００に比べて大きいので、導光板２３の第１側面２９において、照明光の屈折角は入射角に比べて小さくなる。
【００３２】
光源２２からの照明光は、第１側面２９における入射角が０度以上９０度以下の角度で、導光板２３に入射される。たとえば照明光が、図４の矢符４９に示すように、第１方向Ａに平行に、かつ第１側面２９に沿って導光板２３に入射される場合、具体的には第１側面２９における照明光の入射角が最大の９０度である場合、照明光の屈折角はスネルの法則により４２．２度となる。したがって、光源２２によって発せられる照明光が導光板２３の第１側面２９を介して導光板２３に入射される場合、第１側面２９における照明光の屈折角は０度以上４２．２度以下の角度になる。
【００３３】
第１側面２９における照明光の屈折角が、０度以上４２．２度以下の角度であるため、第１表面２７および第２表面２８における照明光の入射角は、４７．８度以上の角度になる。導光板２３の屈折率が１．４９以上である場合、導光板２３に入射された照明光は、導光板２３の各面と空気との境界における入射角が４２．２度以上であれば、全反射される。したがって、第１表面２７および第２表面２８と空気との境界では、照明光は、図３の仮想線４４に示すように全反射して導光板２３内を伝播する。
【００３４】
また、第２側面３１では、照明光は、第２反射板２５を用いて反射される。したがって、本実施の形態では、第１側面２９と、第１表面２７と出射体２６との境界である第１境界３９とを除く残余の境界から照明光が導光板２３の外へ出射することはない。
【００３５】
第１境界３９では、出射体２６の屈折率が導光板２３の屈折率に比べて大きいので、入射角に比べて小さい屈折角で、照明光が導光板２３から出射体２６に入射される。第１出射面３５ａおよび第２出射面３５ｂでは、出射体２６の屈折率が空気の屈折率に比べて大きいので、照明光が入射角より大きい屈折角で出射される。たとえば光源２２によって発せられる照明光は、図３の実線４８に示すように、導光板２３から出射体２６に入射され、第１出射面３５ａから出射される。
【００３６】
第１側面２９において、導光板２３に入射される照明光の入射角をθ１、かつ屈折角をθ２とする。第１境界３９において、導光板２３から出射体２６に入射される照明光の入射角をθ３、かつ屈折角をθ４とする。第１出射面３５ａにおいて空気中に出射される照明光の入射角をθ５、かつ屈折角をθ６とする。第１側面２９における屈折角θ２は、スネルの法則に基づいて式（１）のように表わされる。
θ２  ＝  ｓｉｎ−１｛（ｎ１／ｎ２）×ｓｉｎθ１｝        …（１）
【００３７】
第１側面２９において照明光の垂直成分が最も大きくなるのは、照明光が、入射角最大の９０度で入射される場合、具体的には第１方向Ａに平行に、かつ第１側面２９に沿って入射される場合である。ここで照明光の垂直成分とは、照明光を大きさと向きとを有するベクトルで表わしたときに、第１表面２７の法線方向の成分を表わす。
【００３８】
導光板２３の第１表面２７は、第１側面２９に対して垂直であるので、第１境界３９における入射角θ３は、第１側面２９における屈折角θ２を用いて式（２）のように表わされる。
θ３  ＝  ９０−θ２                                      …（２）
【００３９】
第１境界３９における屈折角θ４は、スネルの法則を用いて式（３）のように表わされる。
θ４  ＝  ｓｉｎ−１｛（ｎ２／ｎ３）×ｓｉｎθ３｝        …（３）
【００４０】
第１出射面３５ａにおける入射角θ５は、第１境界３９における屈折角θ４と出射体角度αとによって表わすことができ、式（４）のように表わされる。
θ５  ＝  α−θ４                                        …（４）
【００４１】
第１出射面３５ａにおける屈折角θ６は、スネルの法則に基づいて式（５）のように表わされる。
θ６  ＝  ｓｉｎ−１｛（ｎ３／ｎ１）×ｓｉｎθ５｝        …（５）
【００４２】
９０度から第１出射面３５ａにおける屈折角θ６を減算した値と、出射体角度αと、出射角度βとの総和は、１８０度になるので、照明光の出射角度βは、式（６）のように表わすことができる。ここで、出射角度βは、第１表面２７と出射体２６から出射される照明光の出射方向とが成す角度であり、図４の例では、第１表面２７と、第１出射面３５ａから出射される照明光の出射方向とが成す角度である。
β  ＝  ９０−α＋θ６                                    …（６）
【００４３】
出射角度βと第１出射面３５ａにおける屈折角θ６とは、式（６）によって表わされる関係にあるので、出射角度βは、屈折角θ６が大きくなるにつれて大きくなる。また、第１出射面３５ａにおける屈折角θ６は、入射角θ５が大きくなるに伴って大きくなるので、第１出射面３５ａにおける入射角θ５を有する照明光の垂直成分が最も小さくなる場合、すなわち第１出射面３５ａにおける入射角θ５が最も小さい場合、出射角度βは最小の出射角度βｍｉｎとなり、照明光の垂直成分が大きくなるに伴って出射角度βは大きくなる。
【００４４】
出射体２６に入射される照明光のうち、第１出射面３５ａで全反射されるような垂直成分を有する照明光が存在する場合、出射角度βは、第１出射面３５ａで全反射される入射角度よりわずかに小さいときに最大の出射角度βｍａｘになり、出射方向は第１出射面３５ａと略平行である。したがって、第１出射面３５ａで全反射されるような垂直成分を有する照明光が存在する場合の最大の出射角度βｍａｘは、１８０度から出射体角度αを減算した値とほぼ同じ値になる。また、出射体２６に入射される照明光のうち、第１出射面３５ａで全反射されるような垂直成分を有する照明光が存在しない場合、最大の出射角度βｍａｘは、第１出射面３５ａへ入射する照明光のうち、最大の垂直成分を有する照明光が第１出射面３５ａへ入射したときの出射方向と、第１表面２７とが成す角度である。
【００４５】
照明装置２０を液晶表示装置のバックライト装置として用いる場合、たとえば導光板２３の第１表面２７に対して、略垂直に出射される照明光が全く存在しなければ、液晶パネル２１を垂直に見たときに表示画像が見えなくなるなどの不具合が生じて、光源２２からの照明光が有効活用できなくなる。すなわち光利用効率が低下することになる。光利用効率を向上するには、多くの照明光を導光板２３の第１表面２７に対し垂直に出射する必要があるので、前述の最大の出射角度βｍａｘは、９０度以上であることが望ましい。したがって最大の出射角度が９０度以上になるように、出射体角度αを設定することが望ましい。出射体２６において垂直成分が最大である照明光は、導光板２３においても垂直成分が最大の光であり、したがって第１側面２９における入射角が略９０度で導光板２３に入射された光である。ここで略９０度とは９０度を含む。
【００４６】
最大の出射角度βｍａｘが９０度である場合、最小の出射体角度αｍｉｎは、式（６）に基づいて式（７）のように表わされる。
αｍｉｎ  ＝  θ６                                        …（７）
【００４７】
さらに式（７）の最小の出射体角度αｍｉｎは、前述の式（１）〜式（５）を用い、また最大の出射角度βｍａｘとなるのは第１側面２９における入射角θ１が９０度のときであるので、θ１に９０°を代入して、式（８）のように表わされる。
αｍｉｎ＝ｓｉｎ−１｛（ｎ３／ｎ１）×ｓｉｎ｛αｍｉｎ−ｓｉｎ−１
｛（ｎ２／ｎ３）×ｃｏｓ｛ｓｉｎ−１（ｎ１／ｎ２）｝｝｝｝…（８）
【００４８】
したがって、出射体角度αは、式（８）により算出される最小の出射体角度αｍｉｎを用いて、式（９）によって表わされる範囲内の角度になる。
αｍｉｎ  ＜  α  ＜  ９０                                  …（９）
【００４９】
出射体角度αを式（９）を満足する範囲内の角度に設定することによって、最大の出射角度βｍａｘを９０度以上にすることができる。これによって多くの照明光を第１および第２出射面３５ａ，３５ｂから第１表面２７に対して略垂直な方向に出射することができる。
【００５０】
出射体角度αが９０度、すなわち出射体２６の第２方向Ｂに垂直な断面形状が長方形である四角柱であっても、照明光を第１および第２出射面３５ａ，３５ｂから空気中に略垂直に出射することができるけれども、この場合、第１および第２出射面３５ａ，３５ｂに到達した照明光は、全反射角度に近い角度で到達した照明光である。したがってフレネル反射によってその大部分の照明光が第１および第２出射面３５ａ，３５ｂで反射され、透過する照明光はわずかである。たとえば出射体２６の屈折率Ｎ３が１．６８であり、かつ第１および第２出射面３５ａ，３５ｂにおける屈折角が８９度であるとき、照明光の透過率は、９．３％であり、９０％以上の照明光が反射されてしまう。
【００５１】
このように出射体角度αが９０度である場合、導光板２３の第１表面２７に対して略垂直な方向に、第１および第２出射面３５ａ，３５ｂから出射される照明光がほとんどなくなるので、出射体角度αは、最小の出射体角度αｍｉｎよりも大きく９０度よりも小さくする必要がある。第１出射面３５ａと第１表面２７とが成す出射体角度αと、第２出射面３５ｂと第１表面２７とが成す出射体角度αとが、式（９）で表わされる条件式を満足する範囲内の角度に決定することによって、出射角度βを所望の角度にすることができる。
【００５２】
また出射体２６の第２方向Ｂに対して対向する三角形状の２つの底面が、第１表面２７に対して垂直に配置されるので、照明光が第１および第２出射面３５ａ，３５ｂから第１表面２７に対して略垂直な方向に出射されるように、２つの底面で照明光を全反射することができる。２つの底面が斜面である場合には、照明光が第１表面２７に対して出射角度βが小さい状態で２つの底面から出射される不具合、または照明光が２つの底面で全反射された後に、第１表面２７に対して出射角度βが小さい状態で第１および第２出射面３５ａ，３５ｂから出射される不具合が生じてしまう。２つの底面を第１表面２７に対して垂直に配置することによって、これらの不具合をなくして、第１および第２出射面３５ａ，３５ｂから出射される照明光の垂直性を良好にすることができる。
【００５３】
このように構成される照明装置２０を用いて、液晶パネル２１などの対象物に、それらの間にプリズム板などの部材を設けることなく、照明光を効率よく導くことができる。これによって導光板２３に入射される照明光の光量の損失を阻止して、液晶パネル２１などの対象物に導かれる照明光の光量を可及的に大きくすることができる。したがって光源２２によって発せられる照明光を効率よく利用すること、すなわち光利用効率を向上することができる。さらに照明装置２０を、たとえば液晶表示装置のバックライト装置に用いることによって、液晶表示装置の表示画面における輝度を向上して、視認性を向上することができる。また従来の技術の照明装置のように、液晶パネルと導光板との間に間隔をあけてプリズム板を設ける構成に比べて、液晶表示装置の厚みを可及的に小さくして、薄形化を実現することができる。
【００５４】
さらに出射体２６に関するピッチＬは、第３方向Ｃの光源２２側から第２反射板２５側に向かうにつれて徐々に小さくなる。このように出射体２６を配置することによって、出射体２６の各出射面３５ａ，３５ｂから出射される照明光の輝度分布を調整することができる。これによって液晶パネル２１における輝度を一様にすることができるとともに、表示される画像に対する視認性を向上することができる。したがって光利用効率をさらに向上することができる。
【００５５】
図５は、本発明の第２の実施の形態である照明装置２０Ａを示す断面図である。本実施の形態の照明装置２０Ａにおいて、第１の実施の形態の照明装置２０の出射体２６を除くその他の構成は同様であるので、同様の構成には同一の参照符号を付し、同様の説明は省略する。照明装置２０Ａは、相互に異なる大きさに形成される複数の出射体２６Ａを有する。第１の実施の形態では、各出射体２６の形状および相互に対応する各寸法が同一であったけれども、本実施の形態では、各出射体２６Ａの形状は相互に同一であって、１つの出射体２６Ａを基準として、相互に対応する各寸法が予め定める比率になるようにそれぞれ形成される。各出射体２６Ａの各寸法、すなわち大きさは、表示画面における輝度分布が一様になるように変更される。たとえば輝度が低ければ、出射体２６Ａの大きさを大きくし、輝度が高ければ出射体２６Ａの大きさを小さくする。これによって出射体２６Ａの各出射面３５ａ，３５ｂから出射される照明光の輝度分布を調整して、液晶パネル２１における輝度を一様にすることができるとともに、表示される画像に対する視認性を向上することができる。したがって光利用効率をさらに向上することができる。
【００５６】
本実施の形態では、各出射体２６Ａは、その大きさが第３方向Ｃの光源２２側から第２反射板２５側に向かうにつれて徐々に大きくなるように設けられている。なお、各出射体２６Ａにおいて、出射体角度αは、前述の第１の実施の形態における出射体２６と同様にして、空気、導光板２３および出射体２６の各屈折率に基づいて決定され、前述の式（９）によって表わされる範囲内の角度に決定される。また、各出射体２６Ａは、第３方向Ｃに関して隣り合う２つの出射体２６ＡにおけるピッチＬがすべて同一になるように、導光板２３の第１表面２７に設けられている。
【００５７】
前述の各実施の形態では、出射体２６，２６Ａを第１表面２７に設けるにあたって、ピッチＬおよび寸法のいずれか一方だけを変えていたけれども、ピッチＬおよび寸法の両方を変えてもよい。
【００５８】
図６は、本発明の第３の実施の形態である照明装置２０Ｂの一部を示す斜視図である。図７は、出射体２６Ｂから出射される照明光を説明するための図である。本実施の形態の照明装置２０Ｂにおいて、第１の実施の形態の照明装置２０の出射体２６の形状が異なるだけであって、出射体２６を除くその他の構成は同様であるので、同様の構成には同一の参照符号を付し、同様の説明は省略する。照明装置２０Ｂは、第１表面２７ならびに第１および第２出射面５０ａ，５０ｂに垂直な断面が台形状である出射体２６Ｂを有する。
【００５９】
本実施の形態では出射体２６Ｂは、第２方向Ｂに垂直な面に配置された台形状を第２方向Ｂに沿って延ばした四角柱である。第１出射面５０ａおよび第２出射面５０ｂは、導光板２３の第１表面２７に対して垂直な面から傾斜する平面である。出射体２６Ｂは、非出射面５０ｃをさらに有する。非出射面５０ｃは、導光板２３の第１表面２７に平行な平面であって、第１表面２７に当接される出射体２６Ｂの一側面５０ｆに比べて小さい面積を有する。
【００６０】
第１出射面５０ａと第１表面２７とが成す出射体角度は、第２出射面５０ｂと第１表面２７とが成す出射体角度と同一であり、空気の屈折率をｎ１、導光板２３の屈折率をｎ２、出射体２６Ｂの屈折率をｎ３とするとき、前述の式（９）で表わされる条件式を満足する範囲内の角度に決定される。導光板２３から出射体２６Ｂに入射される照明光は、第１および第２の実施の形態における出射体２６，２６Ａと同様に、たとえば図７の実線５１に示すような軌跡を描いて、第１表面２７に対して略垂直に第１出射面５０ａから出射される。
【００６１】
図８は、出射体２６Ｂに関して、第１出射面５０ａにおいて全反射された照明光を説明するための図である。図９は、出射体２６に関して、第１出射面３５ａにおいて全反射された照明光を説明するための図である。導光板２３から出射体２６Ｂに入射された照明光は、第１および第２出射面３５ａ，３５ｂにおける入射角によっては、第１出射面５０ａおよび第２出射面５０ｂにおいて全反射される場合がある。
【００６２】
図９に示すように三角柱の出射体２６の場合には、照明光は、第１および第２出射面３５ａ，３５ｂのいずれか一方の出射面で全反射されると、導光板２３の第１表面２７に対する垂直成分が小さくなって、第１および第２出射面３５ａ，３５ｂのいずれか他方に到達する。第１および第２出射面３５ａ，３５ｂのいずれか他方に到達した照明光は、図９の実線５４に示すように、その一部が小さい出射角度βで出射体２６から出射される。しかし、前述のように構成される出射体２６Ｂを用いることによって、導光板２３から出射体２６Ｂに入射された照明光が第１および第２出射面３５ａ，３５ｂのいずれか一方の出射面で全反射される場合であっても、照明光を、図８の実線５５に示すように、非出射面５０ｃで全反射させることにより、他方の出射面でも全反射させることができ、再度導光板２３に戻すことができる。
【００６３】
なお、出射体２６Ｂから導光板２３に入射された照明光は、その後、再度導光板２３から出射体２６Ｂに入射され、第１および第２出射面５０ａ，５０ｂにおける照明光の入射角が全反射角よりも小さければ、第１および第２出射面５０ａ，５０ｂから出射される。このように出射体２６Ｂを構成することによって、三角柱の場合では第１表面２７に略平行な方向に出射されるなどして第１表面２７に対して出射角度βが小さい状態で第１および第２出射面から出射されていた照明光を、可及的に少なくすることができる。これによって液晶パネル２１に導かれる照明光の光量の損失を可及的に小さくすることができる。
【００６４】
本実施の形態では、第３方向Ｃの光源２２側から第２反射板２５側に向かうにつれて、ピッチＬが徐々に小さくなるように決定してもよいし、ピッチＬを変えずに、各出射体２６Ｂの寸法を変える構成であってもよいし、ピッチＬと寸法との両方を変える構成であってもよい。また出射体２６Ｂから導光板２３に入射された照明光をさらに多く再利用するために、導光板２３の第２表面２８が第１表面２７に対してわずかに傾斜されていてもよい。
【００６５】
図１０は、本発明の第４の実施の形態である照明装置２０Ｃの一部を示す断面図である。本実施の形態の照明装置２０Ｃにおいて、第１の実施の形態の照明装置２０の出射体２６の構成が異なるだけであって、その他の構成は同様であるので、同様の構成には同一の参照符号を付し、同様の説明は省略する。照明装置２０Ｃの出射体２６Ｃは、平板状の基部６０と、第１方向Ａ一方側の表面６０ａから突出し、かつ出射面、具体的には第１および第２出射面６２ａ，６２ｂが形成される複数の出射部６１とを有する。出射部６１は、第２方向Ｂに沿って延びる。本実施の形態では、出射体２６Ｃの基部６０は長方形平板状であって、出射部６１は、第１の実施の形態における出射体２６と同様な三角柱状の突起である。出射体２６Ｃは、たとえば金型を用いて一体に成型加工することによって容易に形成することができる。
【００６６】
複数の出射部６１は、第３方向Ｃに相互に間隔をあけて基部６０に設けられる。出射体２６Ｃの基部６０は、出射部６１が設けられる表面６０ａとは反対側の表面６０ｂが導光板２３の第１表面２７に当接されて導光板２３に設けられる。出射体２６Ｃの出射部６１は、出射体２６Ｃが導光板２３の第１表面２７に設けられる状態で、基部６０から導光板２３と反対側に突出している。出射体２６Ｃの基部６０に関して、第１方向Ａ両側の表面６０ａ，６０ｂは、相互に平行である。
【００６７】
導光板２３から出射体２６Ｃに入射された照明光のうち、第１出射面６２ａおよび第２出射面６２ｂに到達した照明光は、たとえば図１０の実線８０に示すように、導光板２３の第１表面２７に対して略垂直な方向に、第１および第２出射面６２ａ，６２ｂからそれぞれ出射される。導光板２３内から導光板２３と出射体２６Ｃとの境界である第１境界３９Ｃに到達した照明光に関して、第１境界３９Ｃにおける入射角θ９は、４７．８度以上の角度である。第１境界３９Ｃにおける入射角θ９と屈折角θ１０とは、スネルの法則によれば、式（１０）のような関係を有する。
ｎ２×ｓｉｎθ９  ＝  ｎ３×ｓｉｎθ１０                  …（１０）
【００６８】
基部６０の第１方向Ａ両側の表面６０ａ，６０ｂが相互に平行であるので、第１境界３９Ｃにおける屈折角θ１０と、基部６０の表面６０ｂと空気との境界における入射角θ１１とは、相互に同一である。これによって式（１０）の右辺のθ１０をθ１１に置換えることができ、式（１０）は、式（１１）のように表わすことができる。
ｎ２×ｓｉｎθ９  ＝  ｎ３×ｓｉｎθ１１                  …（１１）
【００６９】
本実施例においてはｎ２＝１．４９であり、入射角θ９は４７．８度以上の角度であるので、前記入射角θ９のときの正弦値と、導光板２３の屈折率ｎ２との積が１よりも大きくなり、この関係式の左辺は、１よりも大きくなる。すなわち、式（１１）において、右辺も１よりも大きくなるので、空気との境界においては、全反射条件を満たし、照明光が図１０の実線８１に示すように基部６０の表面６０ｂで全反射されることになる。これによって導光板２３から出射体２６Ｃに入射される照明光のうち、基部６０の表面６０ｂに到達した照明光は基部６０から出射されずに全反射されることになる。したがって照明光を、導光板２３の第１表面２７に略垂直な方向に、第１および第２出射面６２ａ，６２ｂから確実に出射することができる。
【００７０】
本実施の形態では、出射部６１は、三角柱であったが、前述の第３の実施の形態の出射体２６Ｂであってもよい。また出射体２６Ｃが出射部６１だけを個別に導光板２３の一表面部３０に設ける場合に比べて、高い位置決め精度を必要とせずに、出射体２６Ｃを導光板２３の第１表面２７に容易にかつ短時間で設けることができる。
【００７１】
図１１は、本発明の第５の実施の形態である照明装置２０Ｄを示す正面図である。本実施の形態の照明装置２０Ｄにおいて、第４の実施の形態の照明装置２０Ｃの導光板２３の構成が異なるとともに、第３導光体である低屈折率部７０をさらに含む構成であって、その他の構成は同様であるので、同様の構成には同一の参照符号を付し、同様の説明は省略する。導光板２３Ｄの第２表面２８は、導光板２３Ｄの第１方向Ａの寸法が第３方向Ｃの光源２２側から第２反射板２５側に向かうにつれて徐々に小さくなるように、第１表面２７に対して傾斜する。さらに導光板２３Ｄの第２側面３１は、導光体２３Ｄの第３方向Ｃの寸法が第１方向Ａの第１表面２７側から第２表面２８側に向かうにつれて徐々に小さくなるように、第１側面２９に対して傾斜する。
【００７２】
照明装置２０Ｄは、導光板２３Ｄの屈折率に比べて小さい屈折率を有する低屈折率部７０をさらに有する。たとえば、低屈折率部７０は、ポリテトラフルオロエチレンから成り、この場合の屈折率は１．３５である。
【００７３】
低屈折率部７０は、その第１方向Ａ両側の表面７０ａ，７０ｂが平行になるように形成される。低屈折率部７０が導光板２３Ｄと出射体２６Ｃとの間に設けられる状態で、低屈折率部７０の第１方向Ａ一方側の表面７０ｂが出射体２６Ｃに当接し、低屈折率部７０の第１方向Ａ他方側の表面７０ａは導光板２３Ｄに当接する。
【００７４】
照明光は、導光板２３Ｄの第１側面２９を介して導光板２３Ｄに入射されて、導光板２３Ｄと低屈折率部７０との境界である第１０境界７１に到達する。第１０境界７１に到達した照明光のうち、垂直成分が小さい照明光は、第１０境界７１における入射角が全反射角以上であるので、図１１の実線７５に示すように、第１０境界７１で全反射される。第１０境界７１で全反射されず、低屈折率部７０を透過して出射体２６Ｃに入射された照明光は、図１１の実線７６に示すように、導光板２３Ｄの第１表面２７に対して略垂直な方向に、第１および第２出射面６２ａ，６２ｂから出射される。
【００７５】
このように低屈折率部７０を設けることによって、垂直成分が小さい照明光が導光板２３Ｄから出射体２６Ｃに入射されることが阻止されるので、出射角度βが９０度にさらに近い状態で、照明光を第１および第２出射面６２ａ，６２ｂから出射することができる。
【００７６】
さらに光源２２から第３方向Ｃに沿って遠ざかるにつれて導光板２３Ｄの厚みが小さくなるように、第１表面２７に対して第２表面２８が傾斜されている。これによって第１０境界７１で全反射されて導光板２３Ｄに残った照明光を、第２表面２８で全反射させ、低屈折率部７０への入射角を垂直成分が大きくなるようにすることにより出射体２６Ｃに入射させて再利用することができる。
【００７７】
前述の第１〜第５の実施の形態は、本発明の例示に過ぎず、本発明の範囲内において構成を変更することができる。たとえば出射体は、透光性を有し、かつその屈折率が導光板の屈折率に比べて大きい材料であればよく、たとえばガラスであってもよい。
【００７８】
【発明の効果】
本発明によれば、平板状の第１導光体は、厚み方向両側の表面が相互に平面に形成される。第１導光体の一側面は、光源に臨んで設けられる。光源によって照明光が発せられると、照明光は第１導光体の一側面を介して第１導光体に入射される。第１導光体の厚み方向一方側の一表面には、第１導光体の屈折率に比べて大きい屈折率を有する材料から成る第２導光体が直接設けられる。この第２導光体には、照明光が第１導光体から入射される。第２導光体には、前記一表面から遠ざかるにしたがって前記一表面と平行な断面積が小さくなるように前記一表面に垂直な面から傾斜する平面状の出射面が形成され、この出射面に第１導光体から入射される照明光が、第１導光体の一表面に対して略垂直な方向へ出射される。
【００７９】
このように構成される照明装置を用いて、第１導光体と対象物との間にプリズム板などの部材を設けることなく、第１導光体の一表面に対向する対象物に、照明光を効率よく導くことができる。これによって第１導光体に入射される照明光の光量の損失を阻止して、対象物に導かれる照明光の光量を可及的に大きくすることができる。したがって光源によって発せられる照明光を効率よく利用すること、すなわち光利用効率を向上することができる。さらに照明装置を、たとえば液晶表示装置のバックライト装置に用いることによって、液晶表示装置の表示画面における輝度を向上して、視認性を向上することができる。
【００８０】
また本発明によれば、第２導光体は、前記一表面および前記出射面に垂直な断面が台形状である。第２導体が前記一表面および前記出射面に垂直な断面が台形状になるように構成されるので、第２導光体は、第１導光体の一表面に垂直な面から傾斜する２つの出射面と、一表面に平行な表面とを有する。これによってたとえば一方の出射面で全反射されて、一方の出射面から出射されずに第２導光体内に残った照明光を、一表面に平行な表面と、他方の出射面とで、全反射させて第２導光体から第１導光体に導くことができる。これによって第２導光体から第１導光体に導かれた照明光を、第１導光体から第２導光体に再び入射させて再利用することができる。したがって光源によって発せられる照明光が十分な垂直性を持たずに照明装置の外部に漏れることを確実に防止して、光利用効率を向上することができる。
【００８１】
また本発明によれば、第２導光体は、第１導光体と略平行に設けられる平板状の基部と、基部から第１導光体と反対側に突出する複数の出射部とを有し、各出射部に出射面が形成される。このように第２導光体を構成することによって、基部と出射部とを、たとえば成型加工によって一体に形成することができる。これによって照明光を第１導光体の一表面に対して略垂直な方向に、出射面から出射することができる構成で、第２導光体を容易に製造することができるとともに、第２導光体を製造するために要するコストを削減することができる。また第２導光体の出射部だけを個別に第１導光体の一表面に設ける場合に比べて、高い位置決め精度を必要とせずに、第２導光体を第１導光体の一表面に容易にかつ短時間で設けることができる。第２導光体の基部が第１導光体と略平行に設けられるので、照明光を基部で全反射させて、照明光が基部から空気中に出射されることを防止して、出射部の出射面から確実に出射させることができる。これによって光利用効率を確実に向上することができる。
【００８２】
また本発明によれば、第３導光体が、第１導光体と第２導光体との間に設けられる。第３導光体は、第１導光体の屈折率に比べて小さい屈折率を有し、厚み方向両側の表面が平行である。この第３導光体によって、第１導光体に入射した照明光のうち、第１導光体と第３導光体との境界に全反射角以上の入射角で到達する照明光は、全反射されて第３導光体に入射されることが防がれるので、第２導光体に入射される照明光のうち、第１導光体の一表面に対して垂直な成分が小さい照明光を取り除くことができる。これによって第１導光体の一表面に対して垂直な方向の成分が可及的に大きい照明光を出射面から出射することできる。
【００８３】
また本発明によれば、第１導光体の一表面と第２導光体の出射面とが成す角度αは、空気の屈折率をｎ１、第１導光体の屈折率をｎ２、第２導光体の屈折率をｎ３としたとき、
α＝ｓｉｎ−１｛（ｎ３／ｎ１）×ｓｉｎ｛α−ｓｉｎ−１｛（ｎ２／ｎ３）×ｃｏｓ｛ｓｉｎ−１（ｎ１／ｎ２）｝｝｝｝
を満たすαを最小値αｍｉｎとして、αｍｉｎ＜α＜９０°を満足する。たとえば第１導光体および第２導光体の材料が変わることによって、照明装置の構成が変わった場合であっても、第１導光体の一表面と第２導光体の出射面とが成す角度を、空気、第１導光体および第２導光体の各屈折率に基づいて最適な角度に決定することができる。これによって光利用効率が大きい照明装置を実現することができる。
【図面の簡単な説明】
【図１】本発明の第１の実施の形態である照明装置２０の一部を切欠いて示す断面図である。
【図２】導光板２３の一部を示す斜視図である。
【図３】出射体２６の出射面３５ａから出射される照明光を説明するための図である。
【図４】照明光の入射角および屈折角ならびに出射体角度αを説明するための図である。
【図５】本発明の第２の実施の形態である照明装置２０Ａを示す断面図である。
【図６】本発明の第３の実施の形態である照明装置２０Ｂの一部を示す斜視図である。
【図７】出射体２６Ｂから出射される照明光を説明するための図である。
【図８】出射体２６Ｂに関して、第１出射面５０ａにおいて全反射された照明光を説明するための図である。
【図９】出射体２６に関して、第１出射面３５ａにおいて全反射された照明光を説明するための図である。
【図１０】本発明の第４の実施の形態である照明装置２０Ｃの一部を示す断面図である。
【図１１】本発明の第５の実施の形態である照明装置２０Ｄを示す正面図である。
【図１２】従来の技術の照明装置１を簡略化して示す断面図である。
【図１３】他の従来の技術の照明装置１０を簡略化して示す断面図である。
【図１４】導光板４および高屈折率部分１１における光の屈折および反射を説明するための図である。
【符号の説明】
２０，２０Ａ〜２０Ｄ  照明装置
２２  光源
２３，２３Ｄ  導光板
２６，２６Ａ〜２６Ｃ  出射体
２７  第１表面
２９  第１側面
３５ａ，５０ａ，６２ａ  第１出射面
３５ｂ，５０ｂ，６２ｂ  第２出射面
３９，３９Ｃ  第１境界
５０ｃ  非出射面
６０  基部
６１  出射部
７０  低屈折率部
【図１】
2004158259.tif 000003
【図２】
2004158259.tif 000004
【図３】
2004158259.tif 000005
【図４】
2004158259.tif 000006
【図５】
2004158259.tif 000007
【図６】
2004158259.tif 000008
【図７】
2004158259.tif 000009
【図８】
2004158259.tif 000010
【図９】
2004158259.tif 000011
【図１０】
2004158259.tif 000012
【図１１】
2004158259.tif 000013
【図１２】
2004158259.tif 000014
【図１３】
2004158259.tif 000015
【図１４】
2004158259.tif 000016